(57)【要約】【課題】ツールバーを用いてウェブサイトから動画を抽出して符号化する方法及びクラウドサーバを提供する。【解決手段】ツールバーを用いて動画を抽出する方法は、ウェブサイトで検索された抽出可能な動画のうち少なくとも１つをツールバーを通して選択して抽出し、クラウドまたはモバイル機器に保存する。そして、ツールバーを用いてウェブページ上のオブジェクトをアップロードする方法は、ツールバーを用いてウェブページ上のオブジェクトに対するオブジェクト情報を分析して選択しアップロード領域に移動させる。【選択図】図５
2014021976.tif 000002
【特許請求の範囲】
【請求項１】
ツールバーがインストールされたコンピュータによって、
ウェブサイトで少なくとも１つの抽出可能な動画を検索し、
前記ツールバーを通した操作命令に応じて前記抽出可能な動画のうち少なくとも１つを選択し、
選択された動画を抽出し、
クラウドまたはモバイル機器に前記動画を保存する、
ことを含む、ツールバーを用いて動画を抽出する方法。
【請求項２】
前記選択された動画を抽出することは、前記ツールバーを用いて前記動画を符号化することをさらに含む、請求項１に記載のツールバーを用いて動画を抽出する方法。
【請求項３】
前記ツールバーを用いて前記動画を符号化するときには、前記ツールバーを用いて前記クラウドで符号化命令を送信する、請求項２に記載のツールバーを用いて動画を抽出する方法。
【請求項４】
クラウドまたはモバイル機器に前記動画を保存するときにクラウドに前記動画を保存する場合、前記クラウドに予め生成されたアカウントにログインして保存する、請求項１に記載のツールバーを用いて動画を抽出する方法。
【請求項５】
前記クラウドに前記アカウントにログインして前記動画を確認または再生することをさらに含む、請求項４に記載のツールバーを用いて動画を抽出する方法。
【請求項６】
クラウドまたはモバイル機器に前記動画を保存することにおいて、
モバイル機器に前記動画を保存する場合に前記モバイル機器が前記コンピュータに接続され、
前記動画を前記コンピュータと接続された前記モバイル機器に自動保存すること、
をさらに含む、請求項１に記載のツールバーを用いて動画を抽出する方法。
【請求項７】
前記クラウドに予め生成されたアカウントにログインし、
前記モバイル機器が前記コンピュータに接続された場合、前記動画を前記クラウドに送信すること、
をさらに含む、請求項６に記載のツールバーを用いて動画を抽出する方法。
【請求項８】
前記ウェブサイトで少なくとも１つの抽出可能な動画を検索することは前記ツールバーを用いて検索することであり、
アドミンツールによって前記ツールバーが操作されることをさらに含む、請求項１に記載のツールバーを用いて動画を抽出する方法。
【請求項９】
前記アドミンツールによって前記ツールバーが操作されることは、前記アドミンツールによって前記ウェブサイトの変更された仕様が前記ツールバーに反映されることを含む、請求項８に記載のツールバーを用いて動画を抽出する方法。
【請求項１０】
前記アドミンツールによって前記ツールバーが操作されることは、前記ツールバーに保存される保存禁止動画リストが前記アドミンツールによって更新され、
前記保存禁止動画リストと指定された動画の検索を遮断すること、
を含む、請求項８に記載のツールバーを用いて動画を抽出する方法。
【請求項１１】
通信部と処理部とを備えるサーバにおいて、前記処理部によって実行されると前記処理部が動作を行うようにする命令を含むコンピュータ読み取り可能な記録媒体を含み、
前記動作は、
予め生成されたアカウントに対するログインリクエストに応じて認証し、
ウェブサイトで少なくとも１つの抽出可能な動画を、ツールバーを通した操作命令に応じて、抽出し、
前記動画に対する符号化命令を受信し、
前記符号化命令に応じて前記動画を符号化し、
前記動画を保存すること、
を含む、ツールバーを用いて動画を抽出するクラウドサーバ。
【請求項１２】
前記ツールバーを操作するアドミンツールをさらに含む、請求項１１に記載のツールバーを用いて動画を抽出するクラウドサーバ。
【請求項１３】
ツールバーがインストールされた電子装置が、
ウェブページに接続し、
前記ツールバーを用いて前記ウェブページ上のオブジェクトに対するオブジェクト情報を分析し、
前記ツールバーを用いて前記オブジェクトを選択してアップロード領域に移動さ、
前記ツールバーを用いてオブジェクト管理サーバに対して予め生成されたアカウントにログインの有無を確認し、
ログインされた場合、前記領域に移動したオブジェクトを前記オブジェクト情報と共に前記ツールバーを用いて前記サーバにアップロードすること、
を含む、ツールバーを用いてウェブページ上のオブジェクトをアップロードする方法。
【請求項１４】
前記ツールバーを用いて前記ウェブページのオブジェクトに対するオブジェクト情報を分析することは、前記ツールバーを用いて前記ウェブページで少なくとも１つのオブジェクトを検出することを含む、請求項１３に記載のツールバーを用いてウェブページ上のオブジェクトをアップロードする方法。
【請求項１５】
前記ツールバーを用いて前記ウェブページで少なくとも１つのオブジェクトを検出することは、前記ウェブページのスクリプトまたはソースコードによって少なくとも１つのオブジェクトを検出する、請求項１４に記載のツールバーを用いてウェブページ上のオブジェクトをアップロードする方法。
【請求項１６】
前記ツールバーを用いて前記オブジェクトを選択してアップロード領域に移動させることは、前記オブジェクトをポインティングすることにより選択し、ドラッグアンドロップしてアップロード領域に移動させることを特徴とする、請求項１３に記載のツールバーを用いてウェブページ上のオブジェクトをアップロードする方法。
【請求項１７】
前記アップロード領域は、前記オブジェクトを選択したときに生成されることを特徴とする、請求項１３に記載のツールバーを用いてウェブページ上のオブジェクトをアップロードする方法。
【請求項１８】
ログインされた場合、前記サーバに接続して保存されたオブジェクトに対する確認をリクエストするし、
前記保存されたオブジェクトに対する処理をリクエストすること、
を含む、請求項１３に記載のツールバーを用いてウェブページ上のオブジェクトをアップロードする方法。
【請求項１９】
前記ツールバーを用いてオブジェクト管理サーバに対して予め生成されたアカウントにログインの有無を確認することは、予め生成されたアカウントがない場合、会員加入を誘導するウインドウを表示することをさらに含むことを特徴とする、請求項１３に記載のツールバーを用いてウェブページ上のオブジェクトをアップロードする方法。
【請求項２０】
前記ツールバーを用いてオブジェクト管理サーバに対して予め生成されたアカウントにログインの有無を確認することは、ログインされていない場合にログインをリクエストすることをさらに含む、請求項１３に記載のツールバーを用いてウェブページ上のオブジェクトをアップロードする方法。
【発明の詳細な説明】
【技術分野】
【０００１】
本発明は、コンピュータでツールバーを用いてウェブサイトで再生する動画を抽出する方法として、抽出した動画を、クラウドサーバを用いて、符号化したり保存したりする方法及びサーバに関する。また、ウェブページ上のオブジェクトをアップロードする方法として、ツールバーがインストールされた電子装置でウェブページ上のオブジェクトを検出してアップロードする方法及びサーバに関する。
【背景技術】
【０００２】
コンピュータで画面をキャプチャーする方法には全体画面を停止画像としてビットマップイメージ形式で出力するスクリーンショット、ディスプレイシステムの内部的なリクエストに使用されることをダンプするスクリーンダンプ、及び一定時間の画面をビデオ形式のファイルに保存するスクリーンキャプチャーがある。
【０００３】
スクリーンキャプチャーは、ウェブサイトの動画を含むコンピュータの画面を一定時間にかけて保存するものとして、プレゼンテーションなどを行うとき時間を減らすために使用される。しかし、動画の特性上ファイルの大きさが増大する。
【０００４】
この点を補完する従来技術のうち、符号化は動画ファイルを使用用途に適するよう再編集したり変換したりする技術として、ＤＶＤ映画をＰＣ動画に変換、ＴＶカードを通してＴＶ放送をリアルタイムでＰＣから動画に変換、またはインターネット映画館及びインターネット放送局などで使用するためにインターネットストリーミングファイルに変換する技術がある。ただし、動画をキャプチャーするプログラムと別に符号化するプログラムをインストールしなければならないという問題がある。
【０００５】
したがって、ウェブサイト上で動画をキャプチャーして符号化する一連の過程を１つのツールバーを用いて行い、さらにクラウドサーバに保存して再生できるクラウドサービスまで統合的に提供することのできる技術が求められている。
【０００６】
ユーザが電子装置でインターネットを用いて情報を獲得したい場合、当該情報を有するウェブサイトに接続しなければならない。したがって、従来技術は、電子装置に表示された画面を介してウェブページのアドレス（ＵＲＬ）を直接入力することでウェブページに接続することができる。
【０００７】
ここで、ユーザがウェブページ上で保存しようとする画像、動画、音楽ファイルのようなオブジェクトがある場合、当該オブジェクトをマウスのようなポインティングデバイスで選択してオブジェクトをデスクトップＰＣに直接保存してもよいが、クラウドサービスにアップロードしたい場合、クラウドサービスを提供する別途のプログラムをインストール及び実行して追加的なログインの手続を行わなければならない不便がある。
【０００８】
他の従来技術として、コンテンツ提供者は、ユーザの情報アクセスを容易にするためのツールバー（Ｔｏｏｌｂａｒ）サービスを提供している。ツールバーは、ウェブブラウザーの所定領域で活性化され、キーワード入力ウインドウをはじめとする様々なオプションボタンを含み、ウェブブラウザーを通したインターネット検索をより便利にするものである。
【発明の概要】
【発明が解決しようとする課題】
【０００９】
しかしながら、従来のツールバーは、ウェブページ上のオブジェクトを直接クラウドサーバにアップロードするサービスを提供しない。したがって、ツールバーがインストールされたウェブブラウザーで、ウェブページ上の画像、動画、添付ファイルなどのオブジェクトをアップロードするために行われるユーザ操作を容易にする技術が求められている。
【課題を解決するための手段】
【００１０】
本発明に係る一実施形態の目的の一つは、ツールバーを用いて統合的にウェブサイトの動画を抽出してクラウドサーバまたはモバイル機器に保存する方法及びサーバを提供することにある。
【００１１】
本発明に係る一実施形態の目的は、ツールバーを用いて統合的にウェブサイトの動画を抽出して符号化する方法及びサーバを提供することにある。
【００１２】
本発明に係る一実施形態の目的は、ツールバーを用いて特定アカウントにログインしてウェブサイトの動画を抽出、符号化、クラウドサーバに保存及び再生する一連の過程を統合的に管理する方法及びサーバを提供することにある。
【００１３】
本発明に係る一実施形態の目的は、ウェブサイトの仕様が変更されたり著作権者のリクエストが存在したりする場合に、アドミンツールがそれらの使用変更やリクエストをツールバーに反映するよう操作し、当該ツールバーを用いて動画抽出をする方法及びサーバを提供することにある。
【００１４】
本発明に係る一実施形態の目的は、ツールバーを用いてウェブページ上のオブジェクトをクラウドサービスにより提供するオブジェクト管理サーバに直接アップロードする方法及びサーバを提供することにある。
【００１５】
本発明に係る一実施形態の目的の一つは、ツールバーを用いてウェブページ上のオブジェクトをドラッグアンドドロップ（Ｄｒａｇ  ａｎｄ  Ｄｒｏｐ）することによって、オブジェクト管理サーバに直接アップロードする方法及びサーバを提供することにある。
【００１６】
本発明に係る一実施形態の目的の一つは、ツールバーを用いてウェブページ上のオブジェクトを予め生成したアカウントにログインしてアップロードする方法及びサーバを提供することにある。
【００１７】
本発明に係る一実施形態の目的の一つは、ツールバーを用いてサーバにアップロードされたオブジェクトを処理する方法及びサーバを提供することにある。
【００１８】
本発明に係る一実施形態によれば、ツールバーがインストールされたコンピュータによって行われる、ウェブサイトで少なくとも１つの抽出可能な動画を検索するステップと、前記抽出可能な動画のうち少なくとも１つを、前記ツールバーを通した操作命令に応じて、選択し、選択された動画を抽出し、クラウドまたはモバイル機器に前記動画を保存することを含むツールバーを用いて動画を抽出する方法が提供される。
【００１９】
他の実施形態によれば、前記選択された動画を抽出することは、前記動画を、前記ツールバーを用いて、符号化することをさらに含んでもよい。
【００２０】
他の実施形態によれば、前記動画を、前記ツールバーを用いて、符号化するときには、前記ツールバーを用いて前記クラウドで符号化命令を送信してもよい。
【００２１】
他の実施形態によれば、クラウドまたはモバイル機器に前記動画を保存するときにおいてクラウドに前記動画を保存する場合、前記クラウドに予め生成されたアカウントにログインして保存してもよい。
【００２２】
他の実施形態によれば、前記クラウドに前記アカウントにログインして前記動画を確認または再生することをさらに含んでもよい。
【００２３】
他の実施形態によれば、クラウドまたはモバイル機器に前記動画を保存するときにおいて、モバイル機器に前記動画を保存する場合に、前記モバイル機器が前記コンピュータに接続し、前記動画を前記コンピュータと接続された前記モバイル機器に自動保存することをさらに含んでもよい。
【００２４】
他の実施形態によれば、前記クラウドに予め生成されたアカウントにログインし、前記モバイル機器が前記コンピュータに接続された場合、前記動画を前記クラウドに送信することをさらに含んでもよい。
【００２５】
他の実施形態によれば、前記ウェブサイトで少なくとも１つの抽出可能な動画を検索することは、前記ツールバーを用いて検索することを特徴とし、アドミンツールによって前記ツールバーが操作されることをさらに含んでもよい。
【００２６】
他の実施形態によれば、前記アドミンツールによって前記ツールバーが操作されることは、前記アドミンツールによって前記ウェブサイトの変更された仕様が前記ツールバーに反映されることを含んでもよい。
【００２７】
他の実施形態によれば、前記アドミンツールによって前記ツールバーが操作されることは、前記ツールバーに保存される保存禁止動画リストが前記アドミンツールによって更新され、と、前記保存禁止動画リストと指定された動画の検索を遮断することを含んでもよい。
【００２８】
本発明に係る一実施形態によれば、ツールバーを用いて動画を抽出するクラウドサーバは、通信部と、処理部と、処理部によって実行されるとき処理部が動作を行うようにする命令を含むコンピュータ読み取り可能な記録媒体を含み、前記動作は、予め生成されたアカウントに対するログインリクエストに応じて認証し、ウェブサイトで少なくとも１つの抽出可能な動画をツールバーを通した操作命令に応じて抽出し、前記動画に対する符号化命令を受信し、前記符号化命令に応じて前記動画を符号化し、前記動画を保存することを含む。
【００２９】
他の実施形態によれば、前記クラウドサーバは、前記ツールバーを操作するアドミンツールをさらに含んでもよい。
【００３０】
本発明に係る一実施形態によれば、ツールバーがインストールされた電子装置によって行われる、ウェブページに接続し、前記ツールバーを用いて前記ウェブページ上のオブジェクトに対するオブジェクト情報を分析し、前記ツールバーを用いて前記オブジェクトを選択してアップロード領域に移動させ、前記ツールバーを用いてオブジェクト管理サーバに対して予め生成されたアカウントにログインの有無を確認し、ログインされた場合、前記領域に移動したオブジェクトを前記オブジェクト情報と共に前記ツールバーを用いて前記サーバにアップロードすることを含むツールバーを用いてウェブページ上のオブジェクトをアップロードする方法が提供される。
【００３１】
他の実施形態によれば、前記ツールバーを用いて前記ウェブページのオブジェクトに対するオブジェクト情報を分析することは、前記ツールバーを用いて前記ウェブページで少なくとも１つのオブジェクトを検出することを含んでもよい。
【００３２】
他の実施形態によれば、前記ツールバーを用いて前記ウェブページで少なくとも１つのオブジェクトを検出することは、前記ウェブページのスクリプトまたはソースコードによって少なくとも１つのオブジェクトを検出してもよい。
【００３３】
他の実施形態によれば、前記ツールバーを用いて前記オブジェクトを選択してアップロード領域に移動させるときには、前記オブジェクトをポインティングすることにより選択し、ドラッグアンドロップしてアップロード領域に移動させてもよい。
【００３４】
他の実施形態によれば、前記アップロード領域は、前記オブジェクトを選択したときに生成されてもよい。
【００３５】
他の実施形態によれば、ログインされた場合、前記サーバに接続して保存されたオブジェクトに対する確認をリクエストし、前記保存されたオブジェクトに対する処理をリクエストすることを含んでもよい。
【００３６】
他の実施形態によれば、前記ツールバーを用いてオブジェクト管理サーバに対して予め生成されたアカウントにログインの有無を確認することは、予め生成されたアカウントがない場合、会員加入を誘導するウインドウを表示することをさらに含んでもよい。
【００３７】
他の実施形態によれば、前記ツールバーを用いてオブジェクト管理サーバに対して予め生成されたアカウントにログインの有無を確認することは、ログインされていない場合にログインをリクエストすることをさらに含んでもよい。
【発明の効果】
【００３８】
本発明に係る一実施形態によると、ウェブサイトの動画を抽出、符号化、及び保存する一連の過程を１つのツールバーを用いて行うことによってユーザに便宜を提供することができる。
【００３９】
本発明に係る一実施形態によると、１つのユーザアカウントでログインしたクラウドサーバで、ウェブサイトの動画を抽出、符号化、保存及び再生することができ、これによってユーザに便宜を提供し、多様なプラットフォームでクラウドサービスを拡張することができる。
【００４０】
本発明に係る一実施形態によれば、著作権者を含む動画権利者が例外処理をリクエストすれば、ツールバーを別途にアップデートしなくても、アドミンツールでツールバーを操作して、動画を抽出することができる。
【００４１】
本発明に係る一実施形態によると、ツールバーを用いてウェブページ上のオブジェクトをドラッグ＆ドロップすることによって、オブジェクトをサーバにアップロードするユーザ操作を容易にすることができる。
【００４２】
本発明に係る一実施形態によると、ツールバーを用いてウェブページ上のオブジェクトを選択するときにアップロード領域を生成することによって、より直観的なユーザ操作を提供することができる。
【００４３】
本発明に係る一実施形態によると、ツールバーを用いてウェブページ上のオブジェクトを予め生成したアカウントにログインしてアップロードすることによって、アップロードされたオブジェクトを統合的に管理することができる。
【図面の簡単な説明】
【００４４】
【図１】本発明の一実施形態に係るユーザＰＣ、モバイル機器、クラウドサーバ、アドミンツール、配布サーバ及び動画ウェブサイトサーバの関係を概略的に示す図である。
【図２】本発明の一実施形態に係る動画を抽出する方法を示すためのフローチャートである。
【図３】本発明の一実施形態に係る動画を抽出及び保存する方法を示す図である。
【図４】本発明の一実施形態に係る動画を抽出しながら符号化する方法を示すためのフローチャートである。
【図５】他の一実施形態に係る動画を抽出しながら符号化する方法を示す図である。
【図６】本発明の一実施形態に係るアドミンツールがツールバーを操作する方法を示すためのフローチャートである。
【図７】他の一実施形態に係るアドミンツールがツールバーを操作する方法を示す図である。
【図８】本発明の一実施形態に係る予め生成したアカウントにログインして動画を抽出及び保存する方法を示す図である。
【図９】本発明の一実施形態に係る動画を検索及び選択する方法を示す図である。
【図１０】他の一実施形態に係る動画を検索及び選択する方法を示す図である。
【図１１】本発明の一実施形態に係るツールバーを用いて動画を抽出するクラウドサーバの細部構成を示すブロック図である。
【図１２】本発明の一実施形態に係るツールバーがインストールされた電子装置、オブジェクト管理サーバ、ウェブサイトサーバの関係を概略的に示す図である。
【図１３】本発明の一実施形態に係るツールバーを用いてウェブページ上のオブジェクトをアップロードする方法を示したフローチャートである。
【図１４】他の一実施形態に係るツールバーを用いてウェブページ上のオブジェクトをアップロードする方法を示したフローチャートである。
【図１５】他の一実施形態に係るツールバーを用いてウェブページ上のオブジェクトをアップロードする方法を示したフローチャートである。
【図１６】本発明の一実施形態に係るツールバーを用いてウェブページ上のオブジェクトをアップロードする方法を示す図である。
【図１７】本発明の一実施形態に係るオブジェクト管理サーバの詳細な構成を示すブロック図である。
【図１８】他の一実施形態に係るオブジェクト管理サーバの詳細な構成を示すブロック図である。
【発明を実施するための形態】
【００４５】
以下、添付された図面に記載された内容を参照して各実施形態を詳細に説明する。
【００４６】
図１は、本発明の一実施形態に係るユーザＰＣ１２１、モバイル機器１２２、クラウドサーバ１１１、アドミンツール１１２、配布サーバ１１３及び動画ウェブサイトサーバ１３０の関係を概略的に示す図である。
【００４７】
ユーザＰＣ１２１は、ウェブサイトに接続するブラウザー及びツールバーがインストールされる全ての電子通信装置である。ユーザＰＣ１２１は、本発明に係る一実施形態においては、ツールバーを用いてウェブサイトの動画を抽出して保存したり、クラウドサーバ１１１に保存したりした動画を予め生成したアカウントにログインして再生及び確認することができる。例えば、ユーザＰＣ１２１は、デスクトップ、ノートブックを含んでもよい。
【００４８】
モバイル機器１２２は、ユーザＰＣ１２１と接続されてウェブサイトから抽出した動画を、ツールバーを用いて、直接保存したり、モバイル機器１２２に保存された動画をユーザＰＣ１２１またはクラウドサーバ１１１に送信して保存したりしてもよい。例えば、モバイル機器１２２は、携帯電話、スマートフォン及びタブレットＰＣを含んでもよい。
【００４９】
ここで、モバイル機器１２２とユーザＰＣ１２１との間の接続は全ての有無線通信技術によるものであってもよく、本発明に係る一実施形態においては、Ｗｉ−Ｆｉ（ワイファイ）、ブルートゥースのような近距離無線通信によるものであってもよい。
【００５０】
クラウドサーバ１１１は、ウェブサイトで抽出した動画を符号化して保存するサーバであり、並列化された複数のサーバ集合であってもよい。動画を抽出して符号化、保存、再生及び確認する一連の過程をクラウドサーバ１１１で行うためには、ユーザＰＣ１２１またはモバイル機器１２２のユーザが予め生成したアカウントにクラウドサーバ１１１にログインするユーザ認証の手続が求められる。また、クラウドサーバ１１１はアドミンツール１１２を含んでもよい。
【００５１】
アドミンツール１１２は、著作権者のリクエストまたはウェブサイトの仕様が変更される場合に、ツールバーのアップデート操作をして、リクエストまたは変更を反映させる。ここで、アドミンツール１１２はクラウドサーバ１１１に含まれてもよいが、これに限定されずにクラウドサーバ１１１と区別される別の装置で構成してもよい。本発明に係る一実施形態によれば、著作権者のように動画に対して権利のある者が例外処理リクエストを行う場合、別途のプログラムソースを変更する必要がなく、アドミンツール１１２で当該ウェブサイトのアドレスを入力することにより遮断することができる。ウェブサイトの仕様が変更された場合にも同様に、変更された仕様を入力して変更事項を適用できる。ここで、ウェブサイトの仕様は動画ウェブサイトのアドレスなどを含んでもよい。
【００５２】
配布サーバ１１３は、本発明の一実施形態に係るツールバープログラムを配布するサーバとして、ツールバーを保存する記録媒体及び記録媒体に保存されたツールバーを配布する通信部を備えてもよい。
【００５３】
動画ウェブサイトサーバ１３０は、ＵＲＬアドレスなどによってユーザＰＣで接続できるウェブサイトを提供するサーバであり、ウェブサイトは動画を含んでもよい。
【００５４】
図２は、本発明の一実施形態に係る動画を抽出する方法を示すためのフローチャートである。
【００５５】
動画検索ステップＳ２１０において、ウェブサイトから抽出される動画を検索する。本発明に係る一実施形態によれば、検索された動画をリストとして提供してもよい。ここで、抽出可能な動画フォーマットの種類は、ＦＬＶ、ＭＰ４、ＡＶＩ及びその他のフォーマットを含んでもよい。
【００５６】
次に、動画選択ステップＳ２２０において、動画検索ステップＳ２１０で検索された抽出可能な動画を、ツールバーを通した操作命令に応じて選択してもよい。本発明に係る一実施形態によれば、ツールバーを通した操作命令は、ツールバーで特定ボタンをクリックして検索された動画のリストを表示し、そのリストのうち少なくとも１つ以上の動画を選択し、あるいは、抽出しようとする動画にマウスポインタを重ねると表示されるボタンをクリックすることで選択することで発せられてもよい。ここで、ツールバーは、動画のタイトル、フォーマット、容量情報を提供してもよい。
【００５７】
そして、動画抽出ステップＳ２３０において、動画選択ステップＳ２２０で選択された動画を抽出する。ここで「抽出」とは、「キャプチャー」または「動画を共有」と同じ意味として用いられる。本発明に係る一実施形態によると、動画抽出は必要に応じてユーザＰＣまたはクラウドサーバで行われてもよく、特に、ユーザＰＣに保存する場合にはユーザＰＣで、クラウドサーバに保存する場合にはクラウドサーバで行われてもよい。また、上述した一連の動作はツールバーを用いて行われてもよい。
【００５８】
次に、動画保存ステップＳ２４０において、動画抽出ステップＳ２３０で抽出した動画を保存する。ユーザの必要に応じて、ユーザＰＣ、クラウドサーバまたはモバイル機器のいずれか１つに保存してもよい。
【００５９】
図３は、本発明の一実施形態に係る動画を抽出及び保存する方法を示す図である。
【００６０】
ウェブサイト接続ステップＳ３００において、ユーザＰＣ３２１が動画ウェブサイトサーバ３３０に接続する。
【００６１】
動画検索ステップＳ３０１、動画選択ステップＳ３０２、及び動画抽出ステップＳ３０３は、図２に示す動画検索ステップＳ２１０、動画選択ステップＳ２２０及び動画抽出ステップＳ２３０に対応する。ただし、動画抽出ステップＳ３０３では、クラウドサーバ３１１に抽出した動画を保存する場合、クラウドサーバ３１１でツールバーを用いて動画を抽出することが好ましいが、必ずしもこれに限定されない。本発明に係る一実施形態によれば、ユーザＰＣ３２１でウェブサイトから検索された動画を抽出してもよい。
【００６２】
次に、抽出した動画を様々な方法で保存してもよい。本発明に係る一実施形態によれば、抽出した動画をクラウドサーバ３１１に保存したり（Ｓ３０４）、ユーザＰＣ３２１に保存したりしてもよく（Ｓ３０６）、特に、ツールバーがインストールされたユーザＰＣとモバイル機器がワイファイなどに接続された場合には、ツールバーからモバイル機器３２２に直接保存してもよい（Ｓ３０５）。
【００６３】
図４は、本発明の一実施形態に係る、動画を抽出しながら符号化する方法を示すためのフローチャートである。
【００６４】
動画検索ステップＳ４１０、動画選択ステップＳ４２０、動画抽出ステップＳ４３０及び動画保存ステップＳ４５０は、図２に示す動画検索ステップＳ２１０、動画選択ステップＳ２２０、動画抽出ステップＳ２３０及び動画保存ステップＳ２４０と同一である。
【００６５】
符号化ステップＳ４４０において、動画抽出ステップＳ４３０で抽出した動画を符号化する。ここで、符号化は動画を使用用途又は目的に適するように再編集したり変換したりする一連の過程を含んでもよい。本発明に係る一実施形態によれば、モバイル機器のプラットフォームによる解像度及び画質を選択して符号化してもよい。
【００６６】
ここで、符号化はユーザＰＣまたはクラウドサーバで行われ、クラウドサーバの場合には、ユーザＰＣから送信される符号化命令に応じて符号化が行われてもよい。
【００６７】
図５は、他の一実施形態に係る動画を抽出しながら符号化する方法を示す図である。
【００６８】
ウェブサイト接続ステップＳ５００、動画検索ステップＳ５０１、動画選択ステップＳ５０２、及び動画抽出ステップＳ５０３は、図３に示すウェブサイト接続ステップＳ３００、動画検索ステップＳ３０１、動画選択ステップＳ３０２及び動画抽出ステップＳ３０３と同一である。
【００６９】
次に、符号化命令ステップＳ５０４において、ユーザＰＣ５２１で解像度及び画質のような符号化に関連する設定を決定してクラウドサーバ５１１に符号化命令を送信してもよい。
【００７０】
そして、符号化ステップＳ５０５において、送信された符号化命令に応じて抽出した動画を符号化する。本発明に係る一実施形態によれば、動画を動画ウェブサイトサーバ５３０からユーザＰＣ５２１に抽出した後、再びクラウドサーバ５１１に送信して符号化してもよい。他の一実施形態によれば、動画ウェブサイトサーバ５３０からクラウドサーバ５１１に動画を直接抽出して、符号化してもよい。
【００７１】
そして、符号化された動画は、クラウドサーバに保存したり（Ｓ５０６）、ユーザＰＣに保存したり（Ｓ５０８）、または、モバイル機器５２２がユーザＰＣと接続された場合にモバイル機器に直接保存してもよい（Ｓ５０７）。
【００７２】
図６は、本発明の一実施形態に係るアドミンツールがツールバーのアップデート操作をする方法を示すためのフローチャートである。
【００７３】
動画検索ステップＳ６１０、動画選択ステップＳ６３０、動画抽出ステップＳ６４０及び動画保存ステップＳ６５０は、図２に示す動画検索ステップＳ２１０、動画選択ステップＳ２２０、動画抽出ステップＳ２３０及び動画保存ステップＳ２４０と同一である。
【００７４】
アドミンツールがアップデート操作をするステップＳ６２０において、ウェブサイトの仕様が変更されたり動画権利者のリクエストが存在したりする場合に、アドミンツールはツールバーをアップデートする操作をしてもよい。ウェブサイトで変更された事項や動画権利者のリクエストがある場合、アドミンツールは別のアップデートを行わず、ツールバー内に保存されたデータを更新してもよい。
【００７５】
本発明に係る一実施形態によれば、著作権のリクエストに応じてアドミンツールがツールバーに保存される保存禁止動画リストを更新した場合、保存禁止動画リストに該当する動画は抽出可能な動画リストに表示しないことによって、検索を遮断することができる。
【００７６】
図７は、他の一実施形態に係るアドミンツールがツールバーのアップデート操作をする方法を示す図である。
【００７７】
ウェブサイト接続ステップＳ７００及び動画検索ステップＳ７０１は、図３に示すウェブサイト接続ステップＳ３００及び動画検索ステップＳ３０１に対応する。
【００７８】
次に、ステップＳ７０２において、動画ウェブサイトサーバ７３０からウェブサイトの仕様の変更や著作権のリクエストが発生する。ステップＳ７０３において、アドミンツール７１２は、ユーザＰＣ７２１にインストールされたツールバーに対して、ウェブサイトの変更された仕様を反映したり著作権リストを更新したりする。
【００７９】
そして、検索遮断ステップＳ７０４において、検索されたウェブサイトの動画が著作権に反して保存禁止動画リストに指定された場合には、検索結果リストに表示しない方法などによって検索を遮断してもよい。
【００８０】
図８は、本発明の一実施形態に係る予め生成したアカウントにログインして、動画を抽出し保存する方法を示す図である。ここでは、１つのアカウントで抽出した動画を統合的に管理することができる。
【００８１】
ウェブサイト接続ステップＳ８００は、図３に示すウェブサイト接続ステップＳ３００と同一である。
【００８２】
ログインステップＳ８０１において、クラウドサーバ８１１にツールバーを用いて予め生成したアカウントにログインする。もし、予め生成したアカウントがなければ、ツールバーはアカウント生成を誘導するウインドウに案内してもよい。
【００８３】
ログインしたアカウントに動画を抽出し保存するステップＳ８０２においては、クラウドサーバ８１１にログインした状態で、ウェブサイトの動画をクラウドサーバ８１１に抽出及び保存する。必要に応じて符号化機能を行ってもよい。
【００８４】
ログインしたアカウントに動画を確認し再生するステップＳ８０３においては、ユーザＰＣ８２１がツールバーを用いてクラウドサーバ８１１にログインし、サーバに保存されている動画を確認したり再生したりする。
【００８５】
ログインしたアカウントに動画を送信するステップＳ８０４において、ツールバーを用いてログインしてユーザＰＣ８２１と接続されたモバイル機器８２２に保存された動画を、クラウドサーバ８１１に送信する。また、モバイル機器８２２は、ユーザＰＣ８２１を経由することなく直接クラウドサーバ８１１にログインし（Ｓ８０５）、ログインしたアカウントに動画を確認したり再生したりする（Ｓ８０６）。
【００８６】
図９は、本発明の一実施形態に係る動画を検索及び選択する方法を示す図である。
【００８７】
ツールバー９１０は、検索ウインドウ及びその他のボタンから構成されてもよい。本発明に係る一実施形態によれば、ツールバー上に表示される第１ボタン９１１をクリックすれば、ツールバーは動画を抽出する方法を行ってもよい。
【００８８】
動画抽出ウインドウ９２０は、第１ボタン９１１をクリックして表示されるものとして、ウェブサイトで検索された抽出可能な動画リスト９３０、符号化設定９２４から９２６及び保存方法９２７から９２８を決定することのできるメニューを提供してもよい。
【００８９】
抽出可能な動画リスト９３０は、ウェブサイトで検索された少なくとも１つ以上の抽出可能な動画のリストを表示し、本発明に係る一実施形態によれば、チェックボックスにチェックして抽出する動画を多重に選択してもよい。
【００９０】
符号化するための解像度を選択し、本発明に係る一実施形態によれば、符号化しない９２４、Ａフォン９２５、及びアンドロイドフォン９２６のようにプラットフォームによって符号化の解像度を選択してもよい。また、特定のプラットフォームによる解像度を決定する場合、画質を決定するウインドウ９５０をさらに表示してもよい。
【００９１】
ＰＣに保存ボタン９２７を選択した場合には保存場所を指定するウインドウ９７０をさらに表示してもよく、ウェブハードウェアに保存ボタン９２８のようにクラウドサーバに保存する方法を選択した場合にはクラウドサーバ内の保存位置を指定するウインドウ９８０をさらに表示してもよい。
【００９２】
図１０は、他の一実施形態に係る動画を検索及び選択する方法を示す図である。
【００９３】
ウェブサイト１０００は動画を含んでもよく、ツールバーがインストールされたユーザＰＣで抽出しようとする動画上にマウスポインタを重ねることで第２ボタン１０１０を表示してもよい。第２ボタンをクリックして抽出しようとする動画を選択することで、動画抽出ウインドウ１０２０を表示する。
【００９４】
動画抽出ウインドウ１０２０は、動画のタイトル表示バー１０２１、符号化設定を選択するボタン１０２４から１０２６、及び保存方法を選択するボタン１０２７から１０２８を提供してもよい。ここで、符号化設定１０２４から１０２６と保存方法１０２７から１０２８は、図９に示す符号化設定９２４から９２６及び保存方法９２７から９２８と同一である。
【００９５】
図１１は、本発明の一実施形態に係るツールバーを用いて動画を抽出するクラウドサーバの細部構成を示すブロック図である。クラウドサーバ１１００は、通信部１１１０、処理部１１２０、記録媒体１１３０及びアドミンツール１１４０から構成されてもよい。
【００９６】
通信部１１１０は、動画ウェブサイトサーバ、モバイル機器及びユーザＰＣから符号化命令または抽出した動画を受信することのできる全ての装置を含んでもよい。
【００９７】
処理部１１２０は、記録媒体１１３０に保存されたプログラムによる動作を処理する装置として、ＣＰＵ及びその他マイクロプロセッサーを含んでもよい。
【００９８】
記録媒体１１３０は、処理部１１２０を用いて予め生成されたアカウントに対するログインリクエストに応じて認証するステップ、ウェブサイトで少なくとも１つの抽出可能な動画を抽出するステップ、動画に対する符号化命令を受信するステップ、符号化命令に応じて前記動画を符号化するステップ、及び動画を保存するステップによる動作を行うようにする命令語を含むプログラムを保存してもよい。記録媒体１１３０は、例えば、ハードディスク、ＳＳＤ及びその他プログラムを保存することのできるハードウェアであってもよい。
【００９９】
図１２は、本発明の一実施形態に係るツールバーがインストールされた電子装置１２１０、オブジェクト管理サーバ１２２０、ウェブサイトサーバ１２３０の関係を概略的に示す図である。
【０１００】
電子装置１２１０はツールバーがインストールできる装置として、デスクトップＰＣ、ノートブックＰＣ及びその他ツールバーを用いてウェブページ上のオブジェクトをアップロードできる全ての装置を含んでもよい。具体的には、ツールバーがインストールされた電子装置１２１０は、ユーザによって選択されたウェブページ上のオブジェクトがアップロード領域に移動した場合、予め生成したアカウントへのログインの有無が確認されれば、選択されたオブジェクト及びオブジェクト情報をオブジェクト管理サーバ１２２０にアップロードして保存してもよい。
【０１０１】
オブジェクト管理サーバ１２２０は、電子装置１２１０と通信できるサーバであり、ウェブページ上のオブジェクト及びアップロードされたオブジェクト情報を保存してもよい。具体的には、オブジェクト管理サーバ１２２０は、ツールバーを用いて予め生成されたアカウントへのログインリクエストを受信してログインリクエストを認証し、ログインリクエストが認証される場合にツールバーを用いてアップロード領域に移動したオブジェクト及びオブジェクト情報を保存してもよい。本発明に係る一実施形態によれば、オブジェクト管理サーバ１２２０は、電子装置１２１０から保存されたオブジェクト及びオブジェクト情報に対する確認リクエスト及び処理リクエストを受信して、リクエストに応じる動作を行ってもよい。
【０１０２】
ウェブサイトサーバ１２３０は、電子装置がウェブブラウザーを介して接続するウェブページが位置するサーバである。そこで、ユーザはサーバのドメインアドレスを入力してウェブサイトサーバ１２３０に接続してもよい。ここで、ドメインアドレスは、ドメインネームまたはＩＰアドレスのようなＵＲＬから入力されてもよい。
【０１０３】
図１３は、本発明の一実施形態に係るツールバーを用いてウェブページ上のオブジェクトをアップロードする方法を示したフローチャートである。
【０１０４】
ステップＳ１３１０において、ウェブブラウザーでウェブページに接続する。ここで、ウェブブラウザーは、ウェブ（ＷＷＷ）サービスの利用を可能にするプログラムであり、ＨＴＭＬで記述されたハイパーテキストを受信して見せる全てのプログラムを含んでもよい。具体的に、マイクロソフト（登録商標）のエクスプローラ（登録商標）（Ｅｘｐｌｏｒｅｒ（登録商標））、グーグル（登録商標）のクロム（登録商標）（Ｃｈｒｏｍｅ（登録商標））及びモジラのファイアフォックス（登録商標）（Ｆｉｒｅｆｏｘ（登録商標））などが当該する。
【０１０５】
次に、ステップＳ１３２０において、ツールバーを用いてウェブページ上のオブジェクトに対するオブジェクト情報を分析する。ここで、オブジェクトは、ウェブページ上のイメージ、動画、音源ファイル、及びその他添付ファイルを含んでもよい。ここで、イメージは、ＪＰＧ、ＧＩＦ、ＰＮＧなどの拡張子、動画はＦＬＶ、ＳＷＦ、ＡＶＩなどの拡張子、音源ファイルは、ＭＰ３、ＷＡＶなどの拡張子を有するオブジェクト情報で構成されてもよい。
【０１０６】
本発明に係る一実施形態によれば、ツールバーを用いてウェブページで少なくとも１つのオブジェクトを検出してもよく、具体的には、ウェブページのスクリプトまたはソースコードによって少なくとも１つのオブジェクトを検出してもよい。
【０１０７】
そして、ステップＳ１３３０において、ツールバーを用いてオブジェクトを選択してアップロード領域に移動させる。ここで、オブジェクトは、ポインティング（ｐｏｉｎｔｉｎｇ）することによって選択され、ドラッグ＆ドロップによりアップロード領域に移動させてもよい。
【０１０８】
本発明に係る一実施形態によれば、ポインティングは、マウスクリック、ユーザの指タッチ、その他のオブジェクトを指示する全ての行為を含んでもよく、ドラッグ＆ドロップは、オブジェクトをポインティングした状態で特定領域に移動してポインティングを解除すれば、当該領域にオブジェクトがドロップされるものであってもよい。
【０１０９】
次に、ステップＳ１３４０において、ツールバーを用いてオブジェクト管理サーバに対して予め生成されたアカウントに対するログインがされているかの有無を確認する。ここで、ログインがされていない場合、オブジェクト管理サーバはアカウントに対するログインリクエストを受信し、正当なユーザであるかを判断する。
【０１１０】
そして、ステップＳ１３５０において、ログインがされた場合にアップロード領域に移動したオブジェクトをオブジェクト情報と共にツールバーを用いてオブジェクト管理サーバにアップロードする。本発明に係る一実施形態によれば、さらに確認の手続を行うことなくオブジェクトがアップロード領域に移動すれば、自動的にオブジェクト及びオブジェクト情報をアップロードできるが、必ずしもこれに限定されない。ユーザによって設定されるツールバーの環境設定に応じて、アップロードするか否かを確認する手続が付加されてもよい。
【０１１１】
図１４は、他の一実施形態に係るツールバーを用いてウェブページ上のオブジェクトをアップロードする方法を示したフローチャートである。
【０１１２】
ステップＳ１４４０において、電子装置からオブジェクト管理サーバへのログインがされていない場合、オブジェクト管理サーバは、電子装置から、ツールバーを用いて予め生成されたアカウントへのログインリクエストを受信する。
【０１１３】
そして、ステップＳ１４５０において、上述したログインリクエストを認証する。具体的には、ログインがリクエストされたＩＤと暗証番号がサーバに保存されたユーザアカウントのＩＤ及び暗証番号と一致すれば、正当なユーザであると判断することによって認証される。本発明に係る一実施形態によれば、ユーザが予め生成したアカウントが存在しない場合、会員加入を誘導するウインドウを電子装置に表示してもよい。
【０１１４】
ログインリクエストが認証される場合、ステップＳ１４６０において、オブジェクト管理サーバに、ツールバーを用いてアップロード領域に移動したオブジェクト及びオブジェクトに対するオブジェクト情報がアップロードされる。
【０１１５】
そして、ステップＳ１４７０において、アップロードされたオブジェクト及びオブジェクト情報を保存する。具体的に、オブジェクト管理サーバの記録媒体で電子装置にログインしたアカウントに割り当てられるように保存してもよい。
【０１１６】
図１５は、他の一実施形態に係るツールバーを用いてウェブページ上のオブジェクトをアップロードする方法を示したフローチャートである。ここで、電子装置１５１０で行われるステップＳ１５０１から１５０４及び１５０６は図１３に示すステップ１３１０から１３４０及び１３５０に対応し、オブジェクト管理サーバ１５２０で行われるステップＳ１５０５は図１４に示すステップＳ１４５０に対応する。
【０１１７】
ステップＳ１５０７において、ログインされた場合に、電子装置１５１０がオブジェクト管理サーバ１５２０に接続して、保存されたオブジェクトに対する確認をリクエストしたり、処理をリクエストしたりしてもよい。
【０１１８】
次に、ステップＳ１５０８において、オブジェクト管理サーバ１５２０が確認リクエストを受信した場合、ログインしたアカウントにサーバに保存されたオブジェクト及びオブジェクト情報を電子装置１５１０に送信してもよく、処理リクエストを受信した場合にはそれに伴う過程を行ってもよい。本発明に係る一実施形態によれば、オブジェクトに対する処理過程は、オブジェクトの別媒体への保存、オブジェクト管理サーバによる直接編集、符号化及びその他のオブジェクトに影響を与える全ての作業を含んでもよい。
【０１１９】
図１６は、本発明の一実施形態に係るツールバー１６１０を介してウェブページ１６２０上のオブジェクト１６２１をアップロードする方法を示す図である。ここで、オブジェクト１６２１をアップロード領域１６３０に移動させてアップロードしてもよく、アップロード領域は、ウェブページのオブジェクトを移動させるときに生成されてもよい。この場合、オブジェクトはポインティングされて選択されるときに生成されてもよい。
【０１２０】
一実施形態によれば、オブジェクト１６２１はウェブページ１６２０上のイメージであり、ユーザによってオブジェクトがドラッグされれば、ウェブページの右側にアップロード領域１６３０がオーバラップされながら生成されてもよい。ここで、ドラッグされたオブジェクトがアップロード領域にドロップされれば、オブジェクト管理サーバにアップロードされる。したがって、ユーザの環境設定に応じて、「オブジェクト管理サーバにアップロード」１６３１のようなボタンを表示しクリックさせることで、アップロードの有無を確認し、ユーザが操作に失敗することを防止することができる。また、オブジェクト管理サーバに予め生成したアカウントがない場合には、会員加入を誘導するウインドウをさらに表示してもよい。
【０１２１】
図１７は、本発明の一実施形態に係るオブジェクト管理サーバ１７２０の詳細な構成を示すブロック図である。ここで、オブジェクト管理サーバ１７２０は、通信装置１７２１、処理装置１７２２及び記録媒体１７２３を備えてもよい。
【０１２２】
通信装置１７２１は、電子装置からのログインリクエスト受信、オブジェクト確認リクエスト受信、オブジェクト処理リクエスト受信、及びその他の一実施形態に係るツールバーを用いてオブジェクトをアップロードするために必要な過程を行うことのできる全ての装置を含んでもよい。
【０１２３】
処理装置１７２２は、記録媒体１７２３に保存されたプログラムによる動作を処理する装置として、ＣＰＵ及びその他のマイクロプロセッサーを含んでもよい。本発明に係る一実施形態によれば、電子装置から受信したログインリクエストに応じて予め生成したアカウントに対する認証またはオブジェクト処理リクエストに応じる処理を行ってもよい。
【０１２４】
記録媒体１７２３は、処理装置１７２２によって実行されるとき処理装置が動作を行うようにする命令を含むコンピュータ記録媒体である。上述した動作は、ツールバーを用いて予め生成されたアカウントへのログインリクエストを受信するステップ、ログインリクエストを認証するステップ、ログインリクエストが認証される場合、ツールバーを用いてアップロード領域に移動したオブジェクト、オブジェクトに対するオブジェクト情報がアップロードされるステップ、オブジェクト及びオブジェクト情報を保存するステップを含んでもよい。また、記録媒体１７２３は、電子装置から受信したオブジェクト及びオブジェクト情報をログインしたアカウントに保存してもよい。ここで、記録媒体１７２３は、例えば、ハードディスク、ＳＳＤ及びその他のプログラムを保存することのできるハードウェアであってもよい。
【０１２５】
図１８は、他の一実施形態に係るオブジェクト管理サーバ１８２０の詳細な構成を示すブロック図である。オブジェクト管理サーバは、アカウント認証部１８２１、通信部１８２２及びオブジェクト管理部１８２３を備えてもよい。
【０１２６】
アカウント認証部１８２１は、電子装置から予め生成したアカウントに対するログインリクエストに応じて正当なユーザであるかに関する認証手続を行う。ここで、予め生成されたアカウントが存在しない場合、ツールバーがインストールされた電子装置に、会員加入を誘導するウインドウを、表示してもよい。
【０１２７】
通信部１８２２は、図１７に示す通信装置１７２１と同様に電子装置と通信し、必要に応じてアカウント認証部１８２１及びオブジェクト管理部１８２３にオブジェクト、オブジェクト情報、及びその他のツールバーを用いてオブジェクトをアップロードするために用いられる全ての情報を提供してもよい。
【０１２８】
オブジェクト管理部１８２３は、通信部１８２２から提供されたオブジェクト及びオブジェクト情報を、電子装置がログインしたアカウントごとに保存するので、各アカウントに対して統合的なオブジェクト管理ソリューションを提供することができる。
【０１２９】
以上で説明された装置は、ハードウェア構成要素、ソフトウェア構成要素、及び／またはハードウェア構成要素及びソフトウェア構成要素の組合で実現されてもよい。例えば、実施形態で説明された装置及び構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサー、または、命令（ｉｎｓｔｒｕｃｔｉｏｎ）を実行して応答することのできるいずれの装置のように、１つ以上の汎用コンピュータまたは特殊目的コンピュータを用いて実現されてもよい。処理装置は、オペレーティングシステム（ＯＳ）及びＯＳ上で動作する１つ以上のソフトウェアアプリケーションが起動していてもよい。また、処理装置はソフトウェアの実行に応答し、データをアクセス、保存、操作、処理及び生成してもよい。理解の便宜のために、処理装置は１つが用いられるものと説明される場合もあるが、当該の技術分野で通常の知識を有する者は、処理装置が複数の処理要素（ｐｒｏｃｅｓｓｉｎｇ  ｅｌｅｍｅｎｔ）及び／または複数類型の処理要素を含んでいることが分かる。例えば、処理装置は、複数のプロセッサまたは１つのプロセッサ及び１つのコントローラを含んでもよい。また、並列プロセッサのような他の処理構成も可能である。
【０１３０】
ソフトウェアは、コンピュータプログラム（ｃｏｍｐｕｔｅｒ  ｐｒｏｇｒａｍ）、コード（ｃｏｄｅ）、命令（ｉｎｓｔｒｕｃｔｉｏｎ）、または、このうちの１つ以上の組合を含んでもよく、希望のとおりに動作するよう処理装置を構成したり独立的または結合的に処理装置を命令してもよい。ソフトウェア及び／またはデータは、処理装置によって解釈されたり処理装置に命令またはデータを提供したりするために、ある類型の機械、構成要素、物理的装置、仮想装置、コンピュータ記録媒体または装置、または送信される信号波に永久的または一時的に具体化される。ソフトウェアは、ネットワークに接続されたコンピュータシステム上に分散し、分散された方法で保存されたり実行されたりしてもよい。ソフトウェア及びデータは１つ以上のコンピュータ読み取り可能な記録媒体に保存されてもよい。
【０１３１】
実施形態に係る方法は、多様なコンピュータ手段を介して様々な処理を実行することができるプログラム命令の形態で実現され、コンピュータ読み取り可能な記録媒体に記録されてもよい。コンピュータ読み取り可能な記録媒体は、プログラム命令、データファイル、データ構造などのうちの１つまたはその組合せを含んでもよい。媒体に記録されるプログラム命令は、本発明の目的のために特別に設計されて構成されたものでもよく、コンピュータソフトウェア分野の技術を有する当業者にとって公知のものであり、使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれてもよい。
【０１３２】
上述したように、本発明を限定された実施形態と図面によって説明したが、本発明は、上記の実施形態に限定されることなく、本発明が属する分野における通常の知識を有する者であれば、このような実施形態から多様な修正及び変形が可能である。
【０１３３】
したがって、本発明の範囲は、開示された実施形態に限定されるものではなく、特許請求の範囲だけではなく特許請求の範囲と均等なものなどによって定められるものである。
【符号の説明】
【０１３４】
１１００  クラウドサーバ
１１１０  通信部
１１２０  処理部
１１３０  記録媒体
１１４０  アドミンツール
【図１】
2014021976.tif 000003
【図２】
2014021976.tif 000004
【図３】
2014021976.tif 000005
【図４】
2014021976.tif 000006
【図５】
2014021976.tif 000007
【図６】
2014021976.tif 000008
【図７】
2014021976.tif 000009
【図８】
2014021976.tif 000010
【図９】
2014021976.tif 000011
【図１０】
2014021976.tif 000012
【図１１】
2014021976.tif 000013
【図１２】
2014021976.tif 000014
【図１３】
2014021976.tif 000015
【図１４】
2014021976.tif 000016
【図１５】
2014021976.tif 000017
【図１６】
2014021976.tif 000018
【図１７】
2014021976.tif 000019
【図１８】
2014021976.tif 000020